(57)【要約】【課題】試料中の成分の分離分析において、移動度が近接する成分間でも分離が可能であり、高精度な測定結果を得ることのできる分離分析方法を提供すること。【解決手段】本発明は、試料中に含まれる成分の状態変化を利用する、前記試料中の成分の分離分析方法である。前記成分の状態変化は、３次元的な状態変化であることが好ましい。また、前記試料を加温する工程を含むことが好ましく、前記加温の温度は、３０℃〜８０℃であることが好ましい。また、本発明の分離分析方法では、キャピラリー電気泳動法を用いることが好ましい。また、前記試料は、複数の成分を含むことが好ましい。【選択図】図８
2015004565.tif 000002
【特許請求の範囲】
【請求項１】
試料中に含まれる複数の成分を移動させることで、複数の前記成分の移動特性の差を利用して、前記成分を分離分析する方法であって、
複数の前記成分の状態変化を生じさせる工程を含む、分離分析方法。
【請求項２】
前記成分の状態変化は、３次元的な状態変化である、請求項１に記載の分離分析方法。
【請求項３】
前記試料を加温する工程を含む、請求項１または２に記載の分離分析方法。
【請求項４】
前記加温の温度は、３０℃〜８０℃である、請求項３に記載の分離分析方法。
【請求項５】
キャピラリー電気泳動法を用いる、請求項１〜４のいずれか１項に記載の分離分析方法。
【請求項６】
試料中に含まれる複数の成分を移動させることで、複数の前記成分の移動特性の差を利用して、前記成分を分離分析する方法であって、
前記移動特性の差が増大するように前記試料を加温する工程を含む、分離分析方法。
【請求項７】
前記加温の温度は、３０℃〜８０℃である、請求項６に記載の分離分析方法。
【発明の詳細な説明】
【技術分野】
【０００１】
本発明は、試料中の成分の分離分析方法に関する。
【背景技術】
【０００２】
様々な分野において、試料中に含まれる複数の成分の各々について定量あるいは定性を行うための方法として、各種の分離分析法が知られている。例えば、高速液体クロマトグラフ法（ＨＰＬＣ）、ガスクロマトグラフ法（ＧＣ）、薄層クロマトグラフ法（ＴＬＣ）などが知られており、特に生化学分野などで採用されている分離分析法としては、ゲル電気泳動法が知られている。
【０００３】
また、近年、少量の試料で高速分析を可能とするために、キャピラリー電気泳動法が開発されている。キャピラリーは、被測定物質が含まれる溶媒を溜める細径のガラス管のことである。このキャピラリーの中の溶媒に電位をかけて、被測定物質を電気泳動させる方法がキャピラリー電気泳動法である。キャピラリー内の狭い空隙での電気泳動においては、電気泳動媒体の粘度が低くても対流の発生が大幅に抑制されるため、キャピラリー内にゲルを充填する必要はなく、ポリアクリルアミド、ポリエチレングリコール、デキストラン、プルランなどの合成高分子または天然高分子の溶液を充填すれば、それらが充分に分子ふるい媒体として機能する。また、キャピラリー電気泳動法では、キャピラリーの中の溶媒に含まれる被測定物質を検出するのに、例えば、キャピラリーの一部（光検出部という）に光（例えば紫外線）を当てて、その透過光のスペクトルを測定する。
【０００４】
キャピラリー電気泳動法に関して、例えば、非特許文献１（忠海  聡子，遠藤  忍，赤川  博人，板橋  豊，間接紫外検出キャピラリー電気泳動法による脂肪酸の組成分析，BUNSEKI  KAGAKU，Vol.52，No.9，pp.847-850，2003）には、キャピラリー電気泳動装置を用いた植物油などに含まれる複数の脂肪酸類〔ステアリン酸（１８：０）（左側は炭素数を示し、右側は不飽和結合数を示す。以下、同様。）、オレイン酸（１８：１）、リノール酸（１８：２）、リノレン酸（１８：３）、パルミチン酸（１６：０）、ミリスチン酸（１４：０）など〕の分離分析方法について、検討および定量結果が開示されている。
【０００５】
また、非特許文献２（F.  Haddadian，S．A．Shamsi，And  I．M．Warner，Separation  of  Saturated  and  Unsaturated  Free  Fatty  Acids  Using  Capillary  Electrophoresis  with  Indirect  Photometric  Detection，Journal  of  Chromatographic  Science，Vol.37，pp.103-107，April  1999）は、非特許文献１の参考文献であり、ここではＣ１２−Ｃ３１に相当する飽和脂肪酸、不飽和脂肪酸の分離について、泳動液組成の違いとキャピラリーの温度変化（２０〜４０℃）による影響を検討している。
【０００６】
特許文献１（特開平５−３１７６９９号公報）には、ＨＰＬＣなどのクロマトグラフィーに用いる銀担持シリカゲルの作製方法が記載されている。そして、リノール酸（１８：２）とリノレン酸（１８：３）について、銀担持シリカゲルを用いたクロマトグラフィーによる分離について述べられている。しかし、他の脂肪酸類の分離については検討されていない。
【０００７】
なお、非特許文献３（村田  義夫，水溶液中のオレイン酸カリウムのミセル構造解明への２次元ＮＭＲ法（NOESY）の応用，福岡大学理学集報，40，2，pp.203-216，2010）には、２次元ＮＭＲ法を用いて、オレイン酸カリウムの温度および濃度による状態変化を分析した結果が開示されている。非特許文献２のＦｉｇ．１４には、オレイン酸カリウムがＭ（ミセル領域）、およびＡ〜Ｅ（それぞれ異なる会合状態、液晶状態）をとることが示され、さらに、Ｂ領域からＣ領域の２０℃、Ｃ領域からＤ領域への５０℃の状態変化が予測される旨記載されている。また、非特許文献３のＦｉｇ．１７には、同じく２次元ＮＭＲ法を用いた、オレイン酸カリウム（１８：１）の炭素鎖における回転相関時間（τｃ）の温度依存性についての分析結果が示されている。ここでは、オレイン酸カリウム（１８：１）の炭素鎖で、特に２重結合付近の構造が、約３０℃から４０℃以上の温度領域で大きな変化をすることが示されている。このように、非特許文献３では、オレイン酸カリウム（１８：１）の状態変化についての詳細な研究成果が示されている。しかしながら、それらの内容の活用方法などについては触れられていない。
【先行技術文献】
【特許文献】
【０００８】
【特許文献１】特開平５−３１７６９９号公報
【非特許文献】
【０００９】
【非特許文献１】忠海  聡子，遠藤  忍，赤川  博人，板橋  豊，間接紫外検出キャピラリー電気泳動法による脂肪酸の組成分析，BUNSEKI  KAGAKU，Vol.52，No.9，pp.847-850，2003
【非特許文献２】F．Haddadian，S．A．Shamsi，And  I．M．Warner，Separation  of  Saturated  and  Unsaturated  Free  Fatty  Acids  Using  Capillary  Electrophoresis  with  Indirect  Photometric  Detection，Journal  of  Chromatographic  Science，Vol.37，pp.103-107，April  1999
【非特許文献３】村田  義夫，水溶液中のオレイン酸カリウムのミセル構造解明への２次元ＮＭＲ法（NOESY）の応用，福岡大学理学集報，40，2，pp.203-216，2010
【発明の概要】
【発明が解決しようとする課題】
【００１０】
非特許文献１のｐ．８４８の右欄５行には、「１８：３（リノレン酸）、１６：０（パルミチン酸）は移動度に差が生ずる前に溶出し、良い分離は得られなかった」と記されている。このように、非特許文献１に記載の分離分析方法では、リノレン酸やパルミチン酸に移動度が近接する成分について、高精度な定量結果を得ることができないという問題がある。
【００１１】
また、非特許文献２では、分離の行いにくいリノレン酸、パルミチン酸などの成分の分離については、検討されていない。また、特許文献１では、リノール酸とリノレン酸以外の他の脂肪酸類の分離については、検討されていない。
【００１２】
本発明は、これらの課題に鑑み、試料中の成分の分離分析において、移動度などの移動特性が近接する成分間でも分離が可能であり、高精度な測定結果を得ることのできる分離分析方法を提供することを目的とする。
【課題を解決するための手段】
【００１３】
本発明者らは、リノレン酸（１８：３）、パルミチン酸（１６：０）などのピーク検出時間が近接する成分について、それらの成分自体の状態を変化させることにより、分解能を向上させることを見出し、本発明に到達した。
【００１４】
すなわち、本発明は、試料中に含まれる複数の成分を移動させることで、複数の前記成分の移動特性の差を利用して、前記成分を分離分析する方法であって、
複数の前記成分の状態変化を生じさせる工程を含む、分離分析方法である。
【００１５】
前記成分の状態変化は、３次元的な状態変化であることが好ましい。また、前記試料を加温する工程を含むことが好ましい。前記加温の温度は、３０℃〜８０℃であることが好ましい。また、本発明の分離分析方法では、キャピラリー電気泳動法を用いることが好ましい。
【００１６】
また、本発明は、試料中に含まれる複数の成分を移動させることで、複数の前記成分の移動特性の差を利用して、前記成分を分離分析する方法であって、
前記移動特性の差が増大するように前記試料を加温する工程を含む、分離分析方法にも関する。
【００１７】
前記加温の温度は、３０℃〜８０℃であることが好ましい。
【発明の効果】
【００１８】
本発明の分離分析方法によれば、試料中の移動度が近接する成分についても分離が可能であり、高精度な測定結果を得ることができる。特に、試料中の脂肪酸類の分離分析において、リノレン酸やパルミチン酸などの移動度が近接する成分についても分離が可能であり、高精度な測定結果を得ることができる。
【図面の簡単な説明】
【００１９】
【図１】キャピラリー電気泳動装置の一例を示す概略図である。
【図２】実施例１の標準サンプル（各２ｐｐｍ）の２０℃におけるエレクトロフェログラムである。
【図３】実施例１の標準サンプル（各２ｐｐｍ）の２５℃におけるエレクトロフェログラムである。
【図４】実施例１の標準サンプル（各２ｐｐｍ）の３０℃におけるエレクトロフェログラムである。
【図５】実施例１の標準サンプル（各２ｐｐｍ）の４０℃におけるエレクトロフェログラムである。
【図６】実施例１の標準サンプル（各２ｐｐｍ）の５０℃におけるエレクトロフェログラムである。
【図７】実施例１の標準サンプル（各２ｐｐｍ）の５５℃におけるエレクトロフェログラムである。
【図８】実施例１の標準サンプル（各２ｐｐｍ）の６０℃におけるエレクトロフェログラムである。
【図９】実施例２のキャノーラ油（５倍希釈）の６０℃におけるエレクトロフェログラムである。
【図１０】実施例２のオリーブ油（５倍希釈）の６０℃におけるエレクトロフェログラムである。
【図１１】実施例２のゴマ油（１００倍希釈）の６０℃におけるエレクトロフェログラムである。
【図１２】実施例２のラー油（１００倍希釈）の６０℃におけるエレクトロフェログラムである。
【図１３】実施例２のバター（２０ｇ／Ｌ）の６０℃におけるエレクトロフェログラムである。
【発明を実施するための形態】
【００２０】
本発明の分離分析方法は、試料中に複数の成分（分析対象）が含まれている場合にそれらを分離して分析（定量・定性）する方法である。ただし、直接測定したい試料中の成分（測定成分）が複数ある場合だけに限らず、１種類の測定成分と、該成分と分離分析における移動特性が近似する他の成分（夾雑物）とが試料中に共存し、測定成分と夾雑物とを分離して分析する必要がある場合などにおいても、本発明の分離分析方法を適用することができる。
【００２１】
本発明の分離分析方法は、試料中に含まれる複数の成分を移動させることで、複数の成分の移動特性の差を利用して、成分を分離分析する方法（以下、「流れ分離分析法」とよぶことがある）であり、種々公知の分離分析方法に適用することができる。
【００２２】
試料中の成分は、流れ分離分析法により分離できるように、成分間で移動特性の差を生じるような化合物であれば特に限定されない。該成分としては、例えば、有機化合物が挙げられ、有機化合物としては脂肪酸が挙げられる。なお、測定試料が、流れ分離分析法における移動特性が近似する複数の成分を含有する場合において、本発明は特に有用である。流れ分離分析法における移動特性が近似する複数の成分としては、例えば、脂肪酸類のうちのリノレン酸とパルミチン酸が挙げられる。
【００２３】
具体的な分離分析方法としては、例えば、高速液体クロマトグラフ法（ＨＰＬＣ）、ガスクロマトグラフ法（ＧＣ）、薄層クロマトグラフ法（ＴＬＣ）、ゲル電気泳動法、キャピラリー電気泳動法が挙げられる。このうち特にキャピラリー電気泳動法を用いることが好ましい。すなわち、分析装置として、キャピラリー電気泳動装置を用いることが好ましい。
【００２４】
図１は、キャピラリー電気泳動装置の一例を示す概略図である。図１に示されるキャピラリー電気泳動装置は、キャピラリー１を備える。キャピラリー１の内径は、例えば、１００μｍ以下である。キャピラリー１の多くの部分はチャンバー１１に収容されており、チャンバー１１内は、加温手段１２によって加温することができる。加温手段１２は、例えば、チャンバー１１内に加温した空気や液体などを媒体として循環することのできる温調装置である。
【００２５】
キャピラリー１の両端は、バイアル２１，２２内の測定試料、泳動液、洗浄液などを含む液と連通しており、キャピラリー１内も同様の液で満たされる。なお、バイアル２１，２２は、オートサンプラー（図示せず）などにセットされており、順次、測定試料等を含むバイアルに交換される。
【００２６】
また、パワーサプライ４を備えており、測定時にはこれを用いてキャピラリーの両端間に電場を印加する。これにより、キャピラリー１内の試料中の成分が移動し、各成分の移動度の差に応じて成分を分離することができる。
【００２７】
また、分離した成分の検出を行うための光学系として、光源３１（Ｄ２ランプなど）と、該光源３１から照射された光の吸光度等を測定するための検出器３２（ダイオードアレイ、フォトダイオードなど）とを備えている。例えば、光源３１からキャピラリー１の一部に所定の光を照射し、キャピラリー１を透過した光を検出器３２で検出する。照射された検出器３２で得られたデータ（時系列の吸光度を示すエレクトロフェログラムなど）は、データ演算処理装置５（パソコンなど）に送られて、測定結果の解析が行われる。なお、データ演算処理装置５は、ハードの操作を行うための指示機能等を備えていてもよい。またキャピラリー電気泳動装置の検出器としては、光学系に限定されず、質量分析計をはじめ、非接触タイプの電気伝導度検出器、蛍光検出器などを用いることも可能である。
【００２８】
成分の「移動特性」とは、例えば、各種のクロマトグラフ法における成分の移動速度や、キャピラリー電気泳動法における成分の移動度である。キャピラリー電気泳動法において、試料中の成分の分離は、基本的に電気泳動の原理を利用して行われる。この場合、試料成分の移動度Ｕｅは、次のように表わすことができる。
【００２９】
Ｕｅ＝ｑ／６πηｒ
（Ｕｅ：移動度、ｑ：電荷、η：溶媒の粘度、ｒ：ストークス半径）
分離能を向上させるためには、測定成分間のＵｅの違いを大きくすることが必要であるが、上式から、測定成分間のｑ（電荷）もしくはｒ（ストークス半径）の違いが大きくなるような泳動条件で測定を行うと、Ｕｅの違いが大きくなり、分離能が向上することが分かる。
【００３０】
しかし、例えば、測定試料が複数種の脂肪酸類の混合物である場合、通常は脂肪酸類においても、解離して電荷（ｑ）をもつ可能性を有する官能基は１つのカルボキシル基のみであり、さらに、ストークス半径（ｒ）に関連する炭素鎖数についても同様の脂肪酸類が多く存在するため、ｒの差がわずかである脂肪酸同士を分離することは困難な場合が多い。本発明においては、このようにｒの差がわずかであり、そのままでは分離できないような複数の成分に対しても、成分自体の構造の状態を変化させ、成分間の移動度の差（ｒに関する差）を増大させることで、それらの成分の分離分析が可能になるものと考えられる。
【００３１】
本発明の分離分析方法は、試料中に含まれる成分の状態変化を利用して成分を分離することを特徴とする。ここで、「成分の状態変化」とは、３次元的な状態変化であることが好ましい。「３次元的な状態変化」とは、具体的には、測定成分の立体構造の変化である。この３次元的な状態変化の一つの指標としては、非特許文献３に開示される回転相関時間（τｃ）が挙げられる。すなわち、ある成分についての回転相関時間（τｃ）が変化した場合は、３次元的な状態変化が生じていると考えられる。なお、本発明における状態変化は、後述する測定成分のストークス半径（ｒ）を変化させ、各成分間の移動度（Ｕｅ）の差を大きくするような状態変化であることが好ましい。
【００３２】
上記の「成分の状態変化」を生じさせるための好適な手段としては、各成分を含む試料を加温することが挙げられる。したがって、本発明の分離分析方法は、試料を加温する工程を含むことが好ましい。該工程では、試料を加温することにより、試料中に含まれる測定成分の状態変化が生じる。例えば、試料を加温した後に、ある成分についての回転相関時間（τｃ）が常温におけるそれよりも大きくなっている場合は、加温による成分の状態変化（３次元的な状態変化）が生じていると判断できる。なお、成分の状態変化を生じさせる方法としては、加温する方法に限定されず、例えば、液相での分離分析方法（キャピラリー電気泳動法、ＨＰＬＣなど）の場合、液相のｐＨを調整する方法、液相中に何らかの化合物を添加する方法などを用いることも可能である。
【００３３】
加温の具体的な方法は、試料（試料中の測定成分）が所定の温度に達するような方法であれば特に限定されないが、例えば、キャピラリー電気泳動装置を用いる場合、加温は、キャピラリーの周囲の雰囲気（キャピラリーが収容されたチャンバー内の空気など））を所定の温度に加温する方法が挙げられる。また、加温は、測定中（例えば、キャピラリー電気泳動法では、キャピラリー内に電荷を印加している間）に行ってもよく、測定前に行ってもよく、測定前および測定中に行ってもよい。
【００３４】
加温の温度は、好ましくは３０〜８０℃であり、より好ましくは４０〜７０℃、最も好ましくは５５〜６５℃ある。３０〜８０℃の範囲においては、流れ分離分析法における移動特性が近似する有機化合物（例えば、脂肪酸類のうちのリノレン酸とパルミチン酸）の分離分析が可能であり、５５〜６５℃の範囲においては、流れ分離分析法における移動特性が近似する有機化合物のより精度の高い分離分析が可能となる。ここでいう加温の温度とは、加温中における試料の温度であり、通常は一定の定常状態に達したときの温度である。ただし、実際には、例えば、キャピラリー電気泳動装置のキャピラリー周囲の雰囲気（キャピラリーが収容されたチャンバー内の空気など）の温度や、ＨＰＬＣのカラム周囲の雰囲気の温度を調整することで、試料の温度が調整される。
【００３５】
なお、試料を加温することにより、例えば、キャピラリー電気泳動法の場合は、キャピラリー内部に充填された泳動液と試料の温度が上昇し、それらの粘性が低下するため、分析時間を短縮することが可能になるという利点も得られる。
【００３６】
また、本発明の分離分析方法をキャピラリー電気泳動法に適用した場合、従来のＨＰＬＣやＧＣ分析法で必要であった、試料成分の誘導体化などの手間のかかる前処理が不要であるという利点も得られる。
【実施例】
【００３７】
（実施例１）
本実施例では、上述の図１に示すようなキャピラリー電気泳動装置（Ａｇｉｌｅｎｔ７１００キャピラリ電気泳動システム）を用いて、６種類の脂肪酸類（ステアリン酸（１８：０）、オレイン酸（１８：１）、リノール酸（１８：２）、リノレン酸（１８：３）、パルミチン酸（１６：０）、ミリスチン酸（１４：０））を各々２ｐｐｍずつ含有する標準試料（東京化成工業株式会社製）について、温度条件を変化させて分離分析を行った。
【００３８】
（操作方法）
本実施例では、以下の（１）〜（６）の操作をこの順で実施した。
（１）キャピラリーのセットを行う。
（２）泳動液を収容したバイアルをセットする。
（３）上記標準試料を収容したバイアルをセットする。
（４）キャピラリー電気泳動装置とパソコン（指示機能を有するデータ演算処理装置）の電源を入れる。
（５）パソコンのソフトウエアを起動し、次の分析条件を専用のソフトウエアにプログラミングする。
【００３９】
１．キャピラリーの温調温度：２０、２５、３０、４０、５０、５５または６０℃
２．キャピラリー内への泳動液充填：フラッシュ、３００ｓｅｃ
３．キャピラリー内への試料注入：５０ｍｂａｒ、４ｓｅｃ
４．検出波長：２５４ｎｍ（リファレンス波長：４００ｎｍ）
５．印加電圧：２５ｋＶ、測定時間：２０ｍｉｎ
（６）専用のソフトウエアを実行させて測定を開始する。
【００４０】
キャピラリーとしては、フューズドシリカ製のキャピラリー（内径５０μｍ、全長６４．５ｃｍ、有効長５６ｃｍ）を使用した。なお、全長とは、キャピラリーの全体の長さであり、有効長とは、サンプル注入口から検出部分までの長さである。
【００４１】
泳動液としては、Ｎ−メチルホルムアミド／ジオキサン／蒸留水（４：６：１，ｖ／ｖ／ｖ）に２．５ｍＭアデノシン−１−リン酸、５０ｍＭ  Ｔｒｉｓ（２−アミノ−２−（ヒドロキシメチル）−１，３−プロパンジオール）を溶解したものを使用した。
【００４２】
試料の溶媒としては、Ｎ−メチルホルムアミド／ジオキサン（４：１，ｖ／ｖ）を使用し、試料を該溶媒により希釈および溶解したものをバイアル中に充填した。
【００４３】
検出系では、光源としてＤ２ランプを用い、検出器としてダイオードアレイを用いた。検出波長は、上記のとおり２５４ｎｍに設定した。また、リファレンス波長を４００ｎｍとして、４００ｎｍでの吸光度から、アデノシン−１−リン酸の最大吸収波長である２５４ｎｍでの吸光度を差し引くことで、エレクトロフェログラムのピークが正のピークとなるように表示した。
【００４４】
なお、分析に使用した泳動液、試料の溶媒、検出波長、印加電圧等についての条件は、非特許文献１とほぼ同様に設定した。また、キャピラリー（試料）の加温の温度を２０〜６０℃の範囲内で変化させて、上記標準試料中の各脂肪酸について分離分析をおこなった。各々の温度における測定結果を図２〜図８に示す。
【００４５】
本実施例においては、温度が２０℃および２５℃である場合（図２および３）は、非特許文献１の結果と同様に、リノレン酸とパルミチン酸の分離が不十分であり、全ての脂肪酸類を同時に分離分析することはできなかった。これに対して、温度が３０℃以上の場合（図４〜８）は、リノレン酸とパルミチン酸のピークが分離可能であり、全ての脂肪酸類を同時に分離分析することができた。さらに、温度が５５℃および６０℃の場合（図７および８）は、リノレン酸とパルミチン酸のピークがほぼ完全に分離できているため、これらの脂肪酸について、より精度の高い分析が可能であると考えられる。また、分析時間も非特許文献１より短縮することができた。
【００４６】
（実施例２）
キャピラリー（試料）の加温の温度を６０℃に固定した以外は、実施例１と同様にして、５種類の試料（キャノーラ油、オリーブ油、ゴマ油、ラー油、バター）について、脂肪酸類の測定（分離分析）を行った。なお、試料は、実施例１と同様に溶媒で希釈もしくは溶解したものを用いた。各試料についての測定結果を図９：キャノーラ油（５倍希釈）、図１０：オリーブ油（５倍希釈）、図１１：ゴマ油（１０倍希釈）、図１２：ラー油（１００倍希釈）、および、図１３：バター（２０ｇ／Ｌ）に示す。
【００４７】
図９〜１３（特に図９）に示す結果から、本発明の分離分析方法によって、リノレン酸とパルミチン酸のような分離が難しい成分についても、分離分析が可能であることが分かる。
【００４８】
また、各試料について検出された脂肪酸の種類（定性結果）を表１にまとめた。表１に示される結果から、各試料について検出された脂肪酸は、文部科学省のホームページに掲載の「五訂増補  日本食品標準成分表  脂肪酸成分表編」（ＵＲＬは、http://www.mext.go.jp/b_menu/shingi/gijyutu/gijyutu3/houkoku/1299179.htm）で示された各試料中の主要成分と一致していることが確認できた。
【００４９】
【表１】
2015004565.tif 000003
【００５０】
今回開示された実施の形態および実施例はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５１】
１  キャピラリー、１１  チャンバー、１２  加温手段、２１，２２  バイアル、３１  光源、３２  検出器、４  パワーサプライ、５  データ演算処理装置。
【図１】
2015004565.tif 000004
【図２】
2015004565.tif 000005
【図３】
2015004565.tif 000006
【図４】
2015004565.tif 000007
【図５】
2015004565.tif 000008
【図６】
2015004565.tif 000009
【図７】
2015004565.tif 000010
【図８】
2015004565.tif 000011
【図９】
2015004565.tif 000012
【図１０】
2015004565.tif 000013
【図１１】
2015004565.tif 000014
【図１２】
2015004565.tif 000015
【図１３】
2015004565.tif 000016